(57)【要約】  【課題】導入コストを抑えつつ好適にレイアウトを拡張し得るテーブルを提供する。  【解決手段】天板１に対する脚体２の取り付け方向を変更し天板１と他のテーブルＴ'の天板１'とに跨って脚体２を固定することでこれら天板１、１'を連結し得るように構成している。  【選択図】図９
2006101939.tif 000002
【特許請求の範囲】
【請求項１】
天板と、該単独の天板を支持可能であり且つ当該天板に対して着脱可能な脚体とを有するテーブルであって、
当該テーブルに、前記脚体と同一構成の脚体及び天板を備えた他のテーブルの天板を隣接させて配置するに際し、両テーブルが隣接する位置に位置付けられる前記脚体を、前記天板に対する取り付け方向を変更し、前記天板と前記他のテーブルの天板とに跨って固定することで隣接する天板同士を連結し得るように構成していることを特徴とするテーブル。
【請求項２】
前記脚体が、下端部において床面に接する脚支柱と、上端部において前記天板に沿って前記脚支柱に接続する天板支持部とを具備してなる請求項１記載のテーブル。
【請求項３】
前記脚体が一対の脚支柱と該一対の脚支柱間に介在する天板支持部とを有するものであって、前記一対の脚支柱と前記天板支持部とを一体に連続させて前記脚体を構成している請求項２記載のテーブル。
【請求項４】
前記脚体が一対の脚支柱と該一対の脚支柱間に介在する天板支持部とを有するものであって、
前記脚支柱と前記天板支持部とが別体に構成されるものである請求項２記載のテーブル。
【請求項５】
前記脚体が、前記一対の脚支柱を前記天板支持部に個別に連結する一対のブラケットを具備している請求項４記載のテーブル。
【請求項６】
前記脚体を前記天板と隣接する他のテーブルの天板とに固定する連結使用状態において、前記一対の脚支柱のうち一方の脚支柱を前記天板下方に配置するとともに他方の脚支柱を前記他のテーブルの天板下方に配置し、前記天板支持部を前記天板と当該テーブルに隣接する他のテーブルの天板とに跨って固定し得るように構成している請求項３、４又は５記載のテーブル。
【請求項７】
前記テーブルを単独で使用する単独使用状態において、前記一方の脚支柱を前記天板の反使用端における隅部に位置付けるとともに前記他方の脚支柱を前記天板の使用端における隅部に位置付け、前記天板支持部を前記天板の巾方向中央部に向かって湾曲又は屈曲した形状としている請求項３、４、５又は６記載のテーブル。
【請求項８】
前記他方の脚支柱を、前記連結使用状態において前記他のテーブルの天板の巾方向中央部に配置している請求項７記載のテーブル。
【請求項９】
前記脚体が、一本の前記脚支柱と該脚支柱と一体に連続した前記天板支持部とを有しているものである請求項２記載のテーブル。
【請求項１０】
前記テーブルを単独で使用する単独使用状態において前記脚体が有する脚支柱を前記天板の使用端における隅部に位置付けるとともに、前記脚体を前記天板と隣接する他のテーブルの天板とに固定する連結使用状態において、前記脚体が有する天板支持部を前記天板と隣接する他のテーブルの天板との隣接する縁に沿って配置するともに前記天板支持部の先端部を前記単独使用状態における前記天板の使用端における隅部に近接させて前記脚支柱を反使用端側に配置している請求項９記載のテーブル。
【請求項１１】
前記脚体が、一本の前記脚支柱と該脚支柱と一体に連続した直線状の前記天板支持部とを有しているＬ字脚部材と、
前記天板支持部を前記Ｌ字脚部材とともに構成し一対の前記Ｌ字脚部材をそれぞれ接続するＶ字連結部とを具備するものである請求項２記載のテーブル。
【請求項１２】
前記天板が平面視矩形状をなすものであって、該天板の両側端部に同一構成をなす一対の前記脚体を前記天板の巾方向中央部を前後に通る仮想の平面を境にして対称に取り付けている請求項１、２、３、４、５、６、７、８、９、１０又は１１記載のテーブル。
【請求項１３】
前記天板において、前記テーブルを単独で使用する単独使用状態で前記脚体を固定する第一固定部と、他のテーブルと連結する連結使用状態において脚体を固定する第二固定部とを予め形成している請求項１、２、３、４、５、６、７、８、９、１０、１１又は１２記載のテーブル。
【請求項１４】
前記連結使用状態において、前記天板に、隣接する他のテーブルが有する脚体を固定する第三固定部を予め形成している請求項１３記載のテーブル。
【請求項１５】
前記天板が平面視長方形状をなすものであって、前記天板の短辺側に、長方形状をなす前記他のテーブルの天板の長辺側を添接させ、前記天板と前記他のテーブルの天板とで平面視Ｌ字形を構成した状態で、これら天板同士を前記脚体により固定し得るように構成している請求項１、２、３、４、５、６、７、８、９、１０、１１、１２、１３又は１４記載のテーブル。
【発明の詳細な説明】
【技術分野】
【０００１】
本発明は、オフィス等において設置されるテーブルに関するものである。
【背景技術】
【０００２】
近年、オフィスの業務形態に対応すべくデスク或いはテーブルのレイアウトを頻繁に変更する傾向にある。
【０００３】
特に、スモールオフィス・ホームオフィス（ＳＯＨＯ）のような小規模のオフィスにおいては、事業の拡大等に応じてオフィス内のレイアウトを変更することが多く、それに対応して新たなテーブルレイアウトに合致する大型のテーブルやＬ字形といった形状のテーブルを新たに購入するか、或いはそれまでのテーブルに加えて、同じテーブル又は高さ等の規格が共通したテーブルを別途購入し、ぞれぞれのテーブルを連結して新たなレイアウトを構成するといった対応がとられている（例えば、特許文献１参照）。
【特許文献１】特開平２００３−１０２５５４号公報（第８図）
【発明の開示】
【発明が解決しようとする課題】
【０００４】
ここで、上述のような小規模のオフィスにおいて、同じテーブル又は高さ等の規格が共通したテーブルを複数購入してレイアウトを適宜構成させる場合、コーナー部を好適なワークスペースとして利用するため、複数のテーブルをＬ字形に配置して当該Ｌ字形の内角部分側において使用者が作業を行うといったレイアウトが一般に多く選択される。しかしながら、特許文献１に示されたテーブルの連結方法の場合、矩形をなしたテーブルの四隅にはそれぞれ脚支柱が固定されている。そのため、例えばテーブルをＬ字形に連結する場合において、一方のテーブルの使用端を前記内角部分側に設定した場合、当該Ｌ字形の内角部分に一方のテーブルの脚支柱が位置付けられることとなる。すると両テーブルに亘って作業を行おうとする使用者に一方のテーブルの脚支柱が干渉してしまい、使用者にとって十分な下肢空間を確保できないこととなってしまう。
【０００５】
一方、新たなテーブルレイアウトに合致する大型のテーブルやＬ字形といった形状のテーブルを新たに購入する場合、一般に天板は通常一枚板で構成されることから天板が大きくなるほど高価なものとなりコストが嵩んでしまうものとなる。特に木製の天板を有するテーブルではその傾向は顕著であり、なかでもＬ字型の天板を有するテーブルはその製造工程において該Ｌ字形を包含する矩形状の原板が必要なことから特に高価なものである。加えて、そのような大型のテーブルを導入した場合、これまで使っていたテーブルの置き場所を別途用意するか場合によっては置き場所が無く廃棄せざるを得ないということも起こり得る。一方、特許文献１に記したようなテーブルの場合においては好適にテーブル同士を連結することができるものの、テーブルを連結するためにはテーブルとは別体の連結部材を別途用意しなければならない。
【０００６】
本発明は、これらのような不具合に着目したものであり、導入するコストを抑えつつ、好適にレイアウトを拡張することができるテーブルを提供する。
【課題を解決するための手段】
【０００７】
本発明は、このような目的を達成するために、次のような手段を講じたものである。すなわち、本発明に係るテーブルは、天板と、該単独の天板を支持可能であり且つ当該天板に対して着脱可能な脚体とを有するテーブルであって、
当該テーブルに、前記脚体と同一構成の脚体及び天板を備えた他のテーブルの天板を隣接させて配置するに際し、両テーブルが隣接する位置に位置付けられる前記脚体を、前記天板に対する取り付け方向を変更し、前記天板と前記他のテーブルの天板とに跨って固定することで隣接する天板同士を連結し得るように構成していることを特徴とする。
【０００８】
ここで、本発明に係るテーブルの天板及び他のテーブルが有する天板の形状、構成、大きさは特に限定されるものではない。このようなものであれば、脚体の天板に対する取付方向を変更させることにより、天板同士を連結させる際に使用者に干渉しない位置に脚支柱を配置させることが可能である。そうすることにより、使用者にとって十分な下肢空間を構成することが可能となる。そして、テーブルを構成している脚体そのもので天板同士を連結する構成とすることにより、天板同士を連結するための別体の連結部材を用いる必要をなくすことができる。また別途に連結部材を必要としないので、天板同士を連結しない状態のときに該連結部材を余剰の部材としてテーブルに付帯させておくことや別の箇所へ保管しておく必要がない。また例えば、オフィスのレイアウト変更の際などには他のテーブルを買い足して連結することができるため、新たにＬ字型や大型のテーブルを導入する場合と比べて導入コストを大幅に抑えることができる。
【０００９】
テーブルを連結する際、脚体の向きを変更に伴って脚支柱の位置を変更させても、脚体が好適に天板を支持し得る構成とするためには、脚体が、下端部において床面に接する脚支柱と、上端部において前記天板に沿って前記脚支柱に接続する天板支持部とを具備する構成とすることが望ましい。またこの場合、天板支持部を天板に沿って構成しているため、天板支持部が使用者の足に干渉することがない。
【００１０】
テーブルを構成する部品点数を少なく抑えてテーブルの組立を簡単にするためには、前記脚体が一対の脚支柱と該一対の脚支柱間に介在する天板支持部とを有するものであって、前記一対の脚支柱と前記天板支持部とを一体に連続させて前記脚体を構成していることが望ましい。
【００１１】
また、テーブルを出荷・搬送する際に脚体をコンパクトに梱包して、保管や運搬の利便性を向上させるためには、前記脚体を一対の脚支柱と該一対の脚支柱間に介在する天板支持部とを有するものとして、前記脚支柱と前記天板支持部とを別体に構成することが望ましい。そして、脚体全体の強度を有効に向上させ得る構成とするためには、前記脚体に、前記一対の脚支柱を前記天板支持部に個別に連結する一対のブラケットを具備させて、脚体において天板支持部に掛かる荷重が集中する天板支持部と脚支柱との連続箇所を有効に補強し得るものとすることが望ましい。
【００１２】
また、２つの天板の隣接位置において天板支持部に２つの天板を同時に固定させることによりテーブルを確実に連結し得る構成とするためには、脚体を天板と隣接する他のテーブルの天板とに固定する連結使用状態において、一対の脚支柱のうち一方の脚支柱を天板下方に配置するとともに他方の脚支柱を他のテーブルの天板下方に配置し、天板支持部を前記天板と当該テーブルに隣接する他のテーブルの天板とに跨って固定し得るように構成することが望ましい。
【００１３】
一方、テーブルを単独で使用する単独使用状態において天板を好適に支持し得る構成とするためには、前記単独使用状態において、一方の脚支柱を天板の反使用端における隅部に位置付けるとともに他方の脚支柱を前記天板の使用端における隅部に位置付け、天板支持部を天板の巾方向中央部に向かって湾曲又は屈曲した形状としていることが望ましい。他方、連結使用状態において使用者の足の妨げとならない広い下肢空間を構成すべく、使用端側に位置する脚支柱を天板の使用端側から有効に退避させ得る構成とするためには、連結使用状態において、他方の脚支柱を他のテーブルの天板の巾方向中央部に配置することが望ましい。
【００１４】
他方、天板に対して取付位置を変更する脚支柱の数、脚体の大きさを最小限に抑えて、例えば４本の脚支柱を有するテーブルなどでは他の３本の脚支柱に一時的に天板を支持させながら一本の脚支柱ごとに向きを変更するというように、省力的に脚体の向きを変更するためには、脚体と、一本の前記脚支柱と該脚支柱と一体に連続した前記天板支持部とを有しているものとすることが望ましい。また、テーブルを単独で使用する単独使用状態において前記天板の使用端における隅部に位置付けている前記脚体が有する脚支柱の向きを変更して連結使用状態としても、単独使用状態で脚体が支持していた天板の部分を有効に支持し得る構成とする具体的な態様としては、前記脚体を前記天板と隣接する他のテーブルの天板とに固定する連結使用状態において、前記脚体が有する天板支持部を前記天板と隣接する他のテーブルの天板との隣接する縁に沿って配置するともに前記天板支持部の先端部を前記単独使用状態における前記天板の使用端における隅部に近接させて前記脚支柱を反使用端側に配置しているものを挙げることができる。
【００１５】
脚体を複数の部材に分割している構成としても剛性の高い天板支持部を構成して、天板の撓みに対して強度の高い脚体を構成するためには、脚体を、一本の前記脚支柱と該脚支柱と一体に連続した直線状の前記天板支持部とを有しているＬ字脚部材と、前記天板支持部を前記Ｌ字脚部材とともに構成し一対の前記Ｌ字脚部材をそれぞれ接続するＶ字連結部とを具備するものとすることが望ましい。
【００１６】
さらに、天板の使用端の両側に他のテーブルを連結する構成とすることや、連結使用状態を構成する同一構成を有するテーブルの配置を左右交替し得るものとするためには、天板が平面視矩形状をなすものとして、該天板の両側端部に同一構成をなす一対の前記脚体を前記天板の巾方向中央部を前後に通る仮想の平面を境にして対称に取り付けることが好ましい。
【００１７】
予め設定された所定の連結パターンに応じて脚体の向きを好適に位置決めするためには、前記天板において、単独で使用する単独使用状態で脚体を固定する第一固定部と、他のテーブルと連結する連結使用状態において脚体を固定する第二固定部とを予め形成しているものが望ましく、テーブルの配置を制限することなく、同種のテーブルの配置を入れ替えた場合であっても同様に連結し得る態様とするためには、前記連結使用状態において、前記天板に、隣接する他のテーブルの脚体を固定する第三固定部を予め形成することが好ましい。
【００１８】
特に、テーブルレイアウトを構成する上で頻繁に構成される平面視Ｌ字型のレイアウトに好適に対応させるためには、天板が平面視長方形状をなすものであって、天板の短辺側に、長方形状をなす他のテーブルの天板の長辺側を添接させ、天板と他のテーブルの天板とで平面視Ｌ字形を構成した状態で、これら天板同士を前記脚体により固定し得るように構成していることが好ましい。
【発明の効果】
【００１９】
本発明によれば、隣接位置にある前記脚体の前記天板に対する取り付け方向を変更することによって、脚体の天板に対する取付方向を変更させることにより、天板同士を連結させる際に使用者に干渉しない位置に脚支柱を配置させることが可能である。そうすることにより、使用者にとって十分な下肢空間を構成することが可能となる。そして、脚体を、前記天板と前記他のテーブルの天板とに跨って固定することで隣接させた天板同士を連結し得るように構成しているので、テーブルを構成している脚体そのものが天板同士を連結する構成とすることにより、テーブルを連結するために別体の連結部材を用いることなくテーブル同士を連結することができる。また別体の連結部材が存在しないので、天板同士を連結しない状態でも、複数のテーブルを連結する際でも余剰の部材として生じてしまう連結部材をテーブルに付帯させておくことや別の箇所へ保管しておく煩わしさを解消することができる。また例えば、オフィスのレイアウト変更の際などには同種のテーブルを買い足して連結することでテーブルレイアウトを拡張できるため、新たにＬ字型や大型のテーブルを導入する場合に比して導入コストを大幅に抑えることができる。
【発明を実施するための最良の形態】
【００２０】
以下、本発明の第一実施形態について図面を参照して説明する。
【００２１】
図１、図２、図３は、例えばＳＯＨＯ等の小規模オフィスにおいて好適に使用されるテーブルＴを示している。このテーブルＴは、天板１と、該天板１を支持し且つ天板１に対して着脱可能な一対の脚体２とから構成されている。本実施形態では天板１を矩形状としているが、必ずしも矩形状に限られるものではない。また、図１、図２及び図３においてテーブルＴを単独で使用する単独使用状態Ｓを示しているが、このテーブルＴは後述するように、同一構成を有するテーブルＴ'と隣接させて配置する際に、隣接位置にある脚体２を天板１に対して向きを変更して取り付けることにより、該脚体２を天板１と隣接位置にある天板１'とに跨って固定することで天板１、１'を連結し得るように構成しているものである。
【００２２】
具体的に説明すると、テーブルＴは、矩形状の天板１に対し、同一構成を有する一対の脚体２を左右対称に、詳細には天板１の巾方向中央部を前後に通る仮想の平面を境にして対称に配置している。さらに各脚体２は一対の脚支柱２１、２２を備えており、これら脚支柱２１、２２は単独使用状態Ｓにおいて矩形状の天板１の各側端部に沿った隅部付近に位置するように設定されている。ここで、図２に示すように天板１には後述する配線ダクト３が取り付けられており、本実施形態において、天板１の長辺のうち、配線ダクト３に近い側を反使用端１ａに設定し、該反使用端１ａに対面する側を使用端１ｂに設定する。それに伴って一対の脚支柱２１、２２のうち、反使用端１ａ側に位置する脚支柱２１が本発明に係る一方の脚支柱に該当し、使用端１ｂ側に位置する脚支柱２２が本発明に係る他方の脚支柱に該当するものとする。
【００２３】
脚体２は、例えば一本の金属パイプを基本構成材料とし、この金属パイプを塑性変形加工したものであり、前記一対の脚支柱２１、２２と、それらの間に介在する天板支持部２３とを連続させて一体に形成したものである。
【００２４】
一対の脚支柱２１、２２は図４に示すように、それぞれ下端部に床面に接地するためのキャップＣが取り付けられている。上端部においてパイプを湾曲させることにより天板支持部２３と一体に連続している。なお、上述したキャップＣには、天板１を平坦に維持するため、高さ調節機能を備えることにより、アジャスタとしての機能を設けることができる。
【００２５】
天板支持部２３は、同じく図４に示すように脚体２における一対の脚支柱２１、２２間に位置付けられ天板１に沿って略水平に形成された部分であり、図１に示した単独使用状態Ｓにおいて天板１の巾方向中央部に向かって湾曲した形状をなしている。詳細には天板支持部２３は一対の脚支柱２１、２２から天板に沿って延びる直線部分２３ａ、２３ｂと、該直線部分２３ａ、２３ｂに介在する中間部分２３ｃとからなる。また、直線部分２３ａ、２３ｂと中間部分２３ｃとの接続箇所がそれぞれ約１３５°の角度をもって湾曲しているため、直線部分２３ａと直線部分２３ｂとは略９０°の角度をなしている。すなわち天板支持部２３は中心部分２３ｃに対称に山形の形状をなしている。そして、この天板支持部２３において、直線部分２３ａ、２３ｂにはＩ形金具２３１が、中間部分２３ｃにはＸ形金具２３２が取り付けられており、Ｉ形金具２３１及びＸ形金具２３２の上面部２３１ａ、２３２ａが天板１に当接して固定される態様となっている。詳細にはＩ形金具２３１には２箇所、Ｘ形金具２３２には４箇所に設けられたボルト挿通孔ｂと後述する天板１に設けられた鬼目ナットｎに連通させた状態で、図示しないボルトによって固定される。Ｉ形金具２３１及びＸ形金具２３２はそれぞれ１枚の板金を部分的に起立させたものであり、当該起立部分２３１ｂ、２３２ｂが脚体２の金属パイプ部分に溶接されている。そして、Ｉ形金具２３１とＸ形金具２３２において前記起立部分２３１ｂ、２３２ｂについては同一形状をなしている。
【００２６】
そして、本実施形態に係るテーブルＴは、天板１の下面に配線ダクト３を取り付けている一方で、脚体２にコーナーカバー４及び金具カバー５を取り付けている。
【００２７】
配線ダクト３は、天板１の下面側における巾方向中央部の反使用端１ａ寄りの位置に取り付けられている（図２参照）。そして図５に示すように、１枚の長方形状の金属板をチャネル状に湾曲させた形状を有し、例えばテーブルＴ上に載置された図示しないＯＡ機器に接続されているコード類を該チャネルの内側部分に通して使用されるものである。そして配線ダクト３の上側中央部並びに両側端部部付近には、天板１に図示しないボルトを用いて固定するためのボルト挿通孔ｂ２を設けている。また、下側面の前記ボルト挿通孔と垂直方向に連通する位置には、ボルト及びボルトを締めるためのドライバ等の治具を通過させて当該治具を操作しやすくするための通過孔ｔｈを設けている。
【００２８】
ここで、図３に示すように、配線ダクト３は、テーブルＴの長手方向に沿って側面視一対の脚体２、２間に介在するように配置することにより、脚体２の天板支持部２３とともに、天板１の撓み剛性を補強する役割も担っている。
【００２９】
コーナーカバー４は、図６に示すように一対の脚支柱２１、２２と天板支持部２３とが連続する部位における金属パイプの湾曲したコーナー部を被覆するためのものである。このように当該湾曲箇所を被覆することにより、コーナー部の内側では下肢空間に設置する図示しないワゴン等の家具の金属パイプへの直接的な衝突を防止する効果を奏している。また本実施形態において、このコーナーカバー４を取り付けることにより、コーナー部の外側では例えばテーブルＴの脚支柱２１、２２が天板１から直線状に延びている様に見せかける意匠的効果を奏している。
【００３０】
金具カバー５は、図２に示すように天板支持部２３のＩ形金具２３１とＸ形金具２３２に取り付け、上述したＩ形金具２３１及びＸ形金具２３２（図４）を被覆することにより特に起立部分２３１ｂ、２３２ｂが他の家具や使用者の衣服等に触れることを回避する樹脂製の部材である。図７に示すように、金具カバー５は、起立部分２３１ｂ、２３２ｂに嵌め込んで当該起立部分２３１ｂ、２３２ｂを被覆するカバー部５ａと、該カバー部５ａより側方に突出する上向き鈎状の突起であるコードフック部５ｂとにより構成されている。該コードフック部５ｂは例えばテーブルＴ上に設置する図示しないＯＡ機器のコードを掛けて配線ダクト３へ誘導するためのものである。ここで本実施形態において金具カバー５はＩ形金具２３１及びＸ形金具２３２に対して後付けする態様としたが、金具カバー５とＩ形金具２３１及びＸ形金具２３２の代わりに、上述した金具カバー５と類似した形状をなし、金属パイプを天板に同時に固定し得るブラケットを採用しても良い。
【００３１】
ここで、上述したように脚体２の天板支持部２３を天板１の下側から固定すべく、天板１の下面には、図８に示すように、例えば計３０箇所に鬼目ナットｎを設けている。本実施形態では鬼目ナットを同図のように配置することにより、テーブルＴの左右に他の同種のテーブルＴ'を配置することや該テーブルＴ'が有する後述する脚体２'を天板１に固定して連結使用状態Ｊを構成するなど、種々の配置をなした連結使用状態Ｊをとることができる。なお本実施形態において、天板１には配線ダクト３を取り付けるためにも鬼目ナットを配置しているが、図８において配線ダクト３を図示するとともに配線ダクト３を固定するための鬼目ナットの記載を省略している。
【００３２】
テーブルＴが単独使用状態Ｓにあるときなど、天板１の四隅に各脚支柱２１、２１、２２、２２が位置付けられるように２つの脚体２、２を天板１に固定した場合、図８に実線で示した各脚体２、２はそれぞれ８つの図示しないボルトと鬼目ナット、とによってそれぞれ固定される。そして、各脚体２を固定しているそれぞれ８つの鬼目ナットｎにより本発明に係る第一固定部Ｎ１を構成するものとしている。
【００３３】
しかして、本実施形態に係るテーブルＴは、上述した第一固定部Ｎ１の他に、テーブルＴと同じ構成を有する他のテーブルＴ'と連結すべく脚体２の取付方向を変更するよう設定した位置に予め鬼目ナットｎを配置して、これら鬼目ナットｎにより第二固定部Ｎ２を構成するものとしている。なお、テーブルＴ'はテーブルＴと同様の構成を示すため、テーブルＴ'の各構成要素についてはその説明を省略するとともに、該当するテーブルＴの構成要素に「'」を付した記号を用いるものとする。そして、テーブルＴ'が有する脚２'の一部を天板１に取り付ける位置に対応して鬼目ナットｎを配置し、当該鬼目ナットｎにより第三固定部Ｎ３を構成するものとしている。なお、第一取付部Ｎ１と第二取付部Ｎ２とは、鬼目ナットｎが１箇所のみ重複して利用されている。
【００３４】
次に、上述した第二固定部Ｎ２並びに第三固定部Ｎ３を利用して、長方形状のテーブルＴと、該テーブルＴと同一構成を有するテーブルＴ'とを連結使用状態Ｊ、すなわち本実施形態において平面視Ｌ字形に連結した状態を図９及び図１０に示す。詳細には、天板１の短辺側に、長方形状をなすテーブルＴ'の天板１'の長辺側のうち使用端１ｂ'を添接させて相互に連結することにより、天板１'と天板１'とで平面視Ｌ字形のテーブルレイアウトを構成した状態を示している。
【００３５】
このように、テーブルＴの天板１における第二固定部Ｎ２の配置に基づいて天板支持部２３のＩ形金具２３１及びＸ形金具２３２を取り付け、脚体２の天板１に対する取り付け方向を変更することにより、テーブルＴを連結使用状態Ｊとしている。詳細には、反使用端１ａ側に位置する一方の脚支柱２１の配置を天板の隅に配置したままで、単独使用状態Ｓにおいて使用端１ｂ側に位置していた他方の脚支柱２２の配置を変更する。そして、脚体２を第二固定部Ｎ２に基づいて配置した状態において天板１からはみ出した部分に位置する天板支持部２３におけるＩ形金具２３１及びＸ形金具２３２を、テーブルＴ'の第三固定部Ｎ３'に取り付けることにより、天板１、１'を連結する。つまり、テーブルＴ'は第三固定部Ｎ３に脚体２を固定させることにより連結使用状態Ｊとなっている。
【００３６】
この状態において天板１に対して取付方向を変更した脚体２は、脚支柱２１を天板１の下方に配置するとともに脚支柱２２をテーブルＴ'の天板１'の下方に配置し、天板支持部２３を天板１と天板１'とに跨って固定するようにテーブルＴの第二固定部Ｎ２及びテーブルＴ'の第三固定部Ｎ３'に天板支持部２３が固定されることにより、１つの脚体２が両天板１、１'を同時に支持・固定することにより強固に連結している。さらに、脚支柱２２は単独使用状態Ｓ（図１）における使用端１ｂ近傍から、この連結使用状態Ｊにおいて、テーブルＴ'の天板１'の巾方向中央部へと退避するように位置付けられているので、天板１において使用端１ｂ側の天板１'に隣接する隅部に脚支柱２２が存在しない状態となるが、天板支持部２３は上述したように、中心部分２３ｃに対称に山形の形状をなして湾曲しているため、中心部分２３ｃに取り付けられたＸ形金具２３２が図１０に示すように天板１の使用端１ｂ側の隅部近傍、即ち単独使用状態Ｓにおいて脚支柱２２の位置していた箇所付近に固定されて天板１を支持することにより、当該隅部の支持強度を保持している。
【００３７】
また、これらのテーブルＴテーブルＴ'は、上述した図８のように鬼目ナットｎを配置することにより、図９及び図１０に示した以外にも種々の連結使用状態Ｊをとることができる。例えば天板１は長方形状をなし、左右対称に脚体２が取り付けられているため、図１１、図１２に示すように、図１０においてテーブルＴ'を連結した側とは反対側にテーブルＴ'を連結することも（図１１）、天板１の両側にテーブルＴ'、Ｔ'をそれぞれ連結することも（図１２）可能である。さらに、図１３に示すように、テーブルＴ'の脚体２'の向きを変更するとともに、当該脚体２'の天板支持部２３Ｃ'をテーブルＴの天板１に設けた第三固定部Ｎ３に固定することによりテーブルＴ、Ｔ'を連結することも可能である。
【００３８】
さらに、図１４、図１５は、天板の形状が略正方形状をなすことを除いてはテーブルＴと同様の構成をなすテーブルＴ”を示す。なおテーブルＴ”はテーブルＴと略同様の構成であるため、テーブルＴ”の各構成要素についてはその説明を省略するとともに、該当するテーブルＴの構成要素に「”」を付した記号を用いるものとする。このようなテーブルＴ”を用いて、脚体２”の向きを変更してテーブルＴの第三固定部Ｎ３に固定することにより、図１６に示すような平面視Ｌ字形のテーブルレイアウトを構成することも可能である。
【００３９】
加えて、本実施形態では、図１７のように連結使用状態Ｊにおいて、テーブルＴとテーブルＴ'とが平面視Ｌ字形のテーブルレイアウトを構成する際のコーナー部分に補助天板６を、天板１、１'に対して上下方向から挟み込むように取り付けることにより、前記コーナー部分を、より広く作業しやすいスペースとすることも可能である。
【００４０】
以上のような構成とすることにより、本実施形態に係るテーブルＴは、テーブルＴ'或いはテーブルＴ”と隣接位置にある脚体２の天板１に対する取り付け方向を変更させることにより、天板１，１’同士を連結させる際に使用者に干渉しない位置に脚支柱２１を配置させることが可能となる。そのため、テーブルＴ、Ｔ’を連結使用状態Ｊとして連結することにより、使用者にとって十分な下肢空間を確保したＬ字形テーブルを提供することを実現している。そして、該脚体２を、天板１と、他のテーブルＴ'或いはテーブルＴ”の天板１'或いは天板１”とに跨って固定することでこれら天板１と天板１'或いは天板１”とを連結し得るように構成しているので、テーブルＴを構成している脚体２そのものが天板１と天板１'或いは天板１”とを連結する構成とすることにより、天板１と天板１'或いは天板１”とを連結するための別体の連結部材を必要をなくすことができる。また別途に連結部材を必要としないので、天板１と天板１'或いは天板１”とを連結しない状態のときに連結部材を余剰の部材としてテーブルに付帯させておくことや別の箇所へ保管しておく必要がない。また例えば、オフィスのレイアウト変更・拡張の際などに同種のテーブルＴ'或いはテーブルＴ”を買い足して連結すればよいため、新たにＬ字型や大型のテーブルを導入する場合と比べて導入コストを大幅に抑えることができる。
【００４１】
そして、脚体２が、一対の脚支柱２１、２２と、脚支柱２１、２２間に天板１に沿って介在させた天板支持部２３とを具備しているので、脚体２の向きの変更にともなって脚支柱２２の位置を変更させる構成とすることができるため、テーブルＴ、Ｔ'を連結する際に脚支柱２２の位置を変更することができ、例えば、使用端１ｂにある脚支柱２２を使用者に干渉しない位置へ退避させる構成とすることも可能である。また、天板支持部２３を天板１に沿って構成しているため、天板支持部２３が使用者の足に干渉することがない。また、例えば図９に示すようにテーブルＴを連結使用状態Ｊとした場合において、一方の脚支柱たる脚支柱２１を天板１の下方に配置するとともに他方の脚支柱たる脚支柱２２をテーブルＴ'の天板１'の下方に配置し、天板支持部２３を天板１と天板１'とに跨って固定し得るように構成しているので、天板支持部２３が２つの天板１、１'を隣接位置において同時に固定することによりテーブルＴ、Ｔ'を確実に連結させている。さらに、単独使用状態Ｓにおいて、天板支持部２３が天板１の巾方向中央部に向かって湾曲した形状をなしているので、天板支持部２３が一対の脚支柱２１、２２間に直線状に介在している構成と比べて、単独使用状態Ｓにおいて天板１を好適に支持し得る構成としているとともに、連結使用状態Ｊにおいて天板支持部２３がそれぞれの天板１、１'をより確実に支持させている。加えて、例えば図１に示したようなテーブルＴを単独使用状態Ｓとしたときに、天板１の使用端１ｂに位置している脚支柱２２を、例えば図９に示した連結使用状態ＪにおいてテーブルＴ'の天板１'の巾方向中央部に退避させて配置することにより、連結使用状態Ｊにおいて使用端１ｂ側に着座する使用者にとって広い下肢空間を形成することを可能としている。また、本実施形態に係るテーブルＴは、天板１の使用端１ｂの両側にテーブルＴ'を連結することも（図１２）、テーブルＴとテーブルＴ'の位置を交替させて連結することも可能である（図１３）。
【００４２】
テーブルＴが単独使用状態Ｓにあるときに天板１に脚体を固定するための第一固定部Ｎ１と、テーブルＴが連結使用状態Ｊにあるときに脚体２を固定するための第二固定部Ｎ２とを予め天板１に形成しているので、脚体２を天板１に対して容易に位置決めすることが可能となり、テーブルＴ'の脚体２'を固定するための第三固定部Ｎ３も予め形成することにより、テーブルＴ、Ｔ'の配置を制限することなく、テーブルＴとテーブルＴ'の配置を容易に入れ替えて連結使用状態Ｊとすることが可能となる。このようにすることにより、例えばテーブルＴの使用端１ｂが部分的に消耗した場合など、テーブルレイアウトを変更せずにテーブルＴとテーブルＴ'との配置のみを容易に入れ替えて配置させることができる。
【００４３】
そして、本実施形態に係るテーブルＴは、テーブルＴ'とともに、オフィスにおけるテーブルレイアウトを構成する上で頻繁に構成される平面視Ｌ字型のレイアウトに対して脚体２により天板１と天板１'或いは天板１”とを固定することで好適に対応させることを可能にするものである。
【００４４】
以上、本発明の第一実施形態について説明したが、各部の具体的な構成は、上述した実施形態のみに限定されるものではなく、本発明の趣旨を逸脱しない範囲で種々変形が可能である。
【００４５】
次に、本発明の第二実施形態に係るテーブルＴＡについて図１８〜図２２に示し以下に詳述する。ここで本実施形態において、上記第一実施形態と全く同様の構成を有するのものには同実施形態と同一の符号を付して詳細な説明を省略するとともに、本実施形態特有の構成を有するものには同実施形態において該当するものの符号の末尾に「Ａ」を付して記載するものとする。
【００４６】
図１８、図１９に示すように、本実施形態に係るテーブルＴＡは、上記実施形態に係るテーブルＴと略同様の構成をなすものであるが、図２０、図２１に示すように脚支柱２１Ａ、２２Ａと天板支持部２３Ａとをブラケット２４Ａを用いて接続した脚体２Ａを具備している。言い換えればこの脚体２Ａは、脚支柱２１Ａ、２２Ａと天板支持部２３Ａとを別体としたものである。なお、当該図１８、図１９はテーブルＴＡを単独で使用する単独使用状態Ｓを示している。
【００４７】
以下、テーブルＴＡの各構成要素について詳述する。
【００４８】
天板１Ａは、第一実施形態に係る天板１と略同様の矩形状をなしており、同一構成を有する一対の脚体２Ａを左右対称に取り付けるべく複数の鬼目ナットｎが設けられている。また、天板１Ａの下面側には第一実施形態と同じ配線ダクト３を取り付けるとともに、該配線ダクト３に近い側の天板１Ａの長辺を反使用端１ａＡに設定し、該反使用端に対面する側の長辺を使用端１ｂＡに設定している。
【００４９】
脚体２Ａは、上述したように脚支柱２１Ａ、２２Ａと、それらの間に介在する天板支持部２３Ｂとを有したものである。そして、図２１、図２２に示すように、脚体２Ａを構成する脚支柱２２及び天板支持部２３は金属パイプを主体として構成され、ブラケット２４を介して接続するようになっている。
【００５０】
脚支柱２１Ａ、２２Ａは、図１８に示すように直線状の金属パイプを主体としており、下端部において床面に接するキャップＣを取り付けているとともに上端部にはブラケットへ接続するための接続部ｊ（図２１）を有している。そして、接続部ｊは、ナット要素を備えた円盤状の板ナットを例えば溶接することにより金属パイプの端面に設けられたものである。なお、接続部ｊとして円盤状の板ナットの代わりにナットを一体に溶接した金具を用いても良い。また、本実施形態において、天板１Ａの使用端１ａＡ側に配置されている脚支柱２１Ａを本発明に係る一方の脚支柱とするとともに反使用端１ｂＡ側に位置する脚支柱２２Ａを他方の脚支柱としている。また、脚支柱２１Ａ、２２Ａは天板１Ａに対する配置が異なるのみであり、形状・仕様はそれぞれ全く同じである。
【００５１】
天板支持部２３Ａは、図１９に示すように中央部分を略直角に湾曲させた、「く」の字形の金属パイプを主体としている。詳細には、天板支持部２３Ａは一対の脚支柱２１Ａ、２２Ａ側へ天板に沿って延びる直線部分２３ａＡ、２３ｂＡと、該直線部分２３ａＡ、２３ｂＡに介在する中間部分２３ｃＡとを有するものである。中央部分２３ｃＡには、ボルトにより天板１Ａに直接固定するためのボルト孔ｂが二箇所に設けられている。また、天板支持部２３Ａは天板支持部２３Ａの両端においてブラケット２４Ａへ接続するための接続部ｊ（図２１）を有している。当該接続部ｊは、脚支柱２１Ａ、２２Ａが有する上述した接続部ｊと同様の構成をなしたものである。すなわち、金属パイプの端面に板ナットを例えば溶接することにより設けられたものである。なお、当該接続部ｊにおいても上述のように円盤状の板ナットの代わりにナットを一体に溶接した金具を用いても良い。
【００５２】
ブラケット２４Ａは、図２０、図２１に示すように上部には水平方向に天板支持部２３Ａの先端部を挿入する第一挿入部２４１Ａと、脚支柱２１Ａ又は２２Ａの上端部を挿入する第二挿入部２４２Ａとを有している。また、ブラケット２４Ａの上部両側には当該ブラケットを天板１Ａに固定するための天板固定部２４３Ａを設けている。
【００５３】
そして、第一挿入部２４１Ａ及び第二挿入部２４２Ａに挿入した各接続部ｊ、ｊをボルトｖを用いて接続・固定すべく、ブラケット２４Ａの外側面にボルト挿入部２４４Ａを設けている。該ボルト挿入部２４４Ａは、ブラケット２４Ａの外側面の一部分を抉るようにして設けており、該ボルト挿入部２４４Ａから水平方向に第一挿入部２４１Ａに挿入した天板支持部２３Ａを固定するための第一ボルト挿通孔２４４ａＡを設け、垂直方向に第二挿入部２４２Ａに挿入した脚支柱２１Ａ又は２２Ａを固定するための第二ボルト挿通孔２４４ｂＡを設けている。ここで、脚体２Ａを組み立てる際には、第一挿入部２４１Ａに天板支持部２３Ａの接続部ｊを挿入するとともに第二挿入部２４２Ａに脚支柱２１Ａ又は２２Ａを挿入する一方で、第一ボルト挿通孔２４４ａＡ及び第二ボルト挿通孔２４４ｂＡに図示しないボルトをそれぞれ挿入し接続部ｊに設けられたナット要素に螺合させることにより、脚支柱２１Ａ又は２２Ａと天板支持部２３Ａとをブラケットに接続する。
【００５４】
天板固定部２４３Ａは、上下方向に貫通するボルト孔ｂを２箇所に設けている。ここで、ブラケット２４Ａを天板１Ａに固定する際には、例えば脚体２Ａを組み立てた状態におけるブラケット２４Ａを天板１Ａに固定する際に、該ボルト孔ｂ、ｂに下方から図示しないボルトをそれぞれ挿通させ、天板１Ａに設けられた鬼目ナットｎに当該ボルトを螺合させる。なお、当該天板固定部２４３Ａに、配線を配線ダクト３へ誘導するためのコードフック等を予め形成するか或いは取り付けても良い。
【００５５】
次に、本実施形態に係るテーブルＴＡの天板１Ａと他の同種のテーブルＴ'Ａの天板１'Ａとを連結する連結使用状態Ｊにおける底面図を図２２に示す。同図に示すように、天板１Ａの下面に設けられた鬼目ナットｎの位置が上述した天板支持部２３Ａのボルト孔ｂ及びブラケット２４Ａのボルト孔ｂに対応するように配置されている。特に、これら鬼目ナットｎは上記第一実施形態と同様、本発明に係る第一固定部Ｎ１Ａ、第二固定部Ｎ２Ａ及び第三固定部Ｎ３Ａを構成している。なお、図２２において同種の他のテーブルＴ'Ａの天板１'Ａに設けられた第三固定部Ｎ３'Ａを示している。
【００５６】
勿論、当該図２１に示した態様以外にも上記第一実施形態における図１１、図１２のように様々な態様で連結することが可能である。
【００５７】
このような構成とすることにより、テーブルＴＡは、脚支柱２１Ａ、２２Ａと天板支持部２３Ａとを分離することによりテーブルＴＡを出荷・搬送する際に脚体２Ａをコンパクトに梱包することが可能となる。また、脚支柱２１Ａ、２２Ａは同形状のものであるので、テーブルＴＡを構成する部品の共通化を促すことによる生産コストの低減が可能となる。また例えば、脚体２Ａを部分的に損傷したときには当該損傷した部位のみ交換することができるので、部品交換に係るコストも抑えることができる。また、脚体２Ａにおいて天板支持部２３Ａに掛かる荷重が集中する天板支持部２３Ａと脚支柱２１Ａ、２２Ａとの連続箇所にブラケット２４Ａを設けることにより、荷重をブラケット２４Ａに集中させて支持することができるため、強度の高いブラケット２４Ａを採用して部分的に脚体２Ａの強度を向上させることにより脚体２Ａとしての強度を有効に向上させている。
【００５８】
続いて、本発明の第三実施形態に係るテーブルＴＢを図２３〜図２５に示し、以下に詳述する。本実施形態において上記第一実施形態と全く同様の構成を有するのものについては同一の符号を付して詳細な説明を省略するとともに、本実施形態特有の構成を有するものについては上記実施形態において該当するものの符号の末尾に「Ｂ」を付して記載するものとする。
【００５９】
テーブルＴＢは、図２３に示すように矩形状の天板１Ｂの下面に脚体２Ｂを取り付けている点は上記各実施形態に係るテーブルＴ、ＴＡと同様であるが、テーブルＴＢは、一本の脚支柱２１Ｂと該脚支柱２１Ｂに一体に連続した天板支持部２３Ｂとを有した側面視Ｌ字状（図２４）をなす四本の脚体２Ｂを有している。なお、図２３はテーブルＴＢを単独で使用する単独使用状態Ｓを示している。
【００６０】
以下、テーブルＴＢの各構成要素について詳述する。
【００６１】
天板１Ｂは、上記第一実施形態に於ける天板１と略同様の構成を有するが、天板１Ｂの下面に設けられた鬼目ナットｎの位置が脚体２Ｂの配置に対応し得るものとなっている。また、天板１Ｂの下面側には第一実施形態と同じ配線ダクト３を取り付けるとともに、該配線ダクト３に近い側の天板１Ａの長辺を反使用端１ａＢに設定し、該反使用端１ａＢに対面する側の長辺を使用端１ｂＢに設定している。
【００６２】
脚体２Ｂは上述の通り脚支柱２１Ｂと天板支持部２３Ｂとを有している。そして図２２に示す単独使用状態Ｓにおいて同一構成を有する四本の脚体２Ｂが、天板１Ｂの各隅部に脚支柱２１Ｂが位置し且つ各脚体２Ｂが前後左右対称となるように位置付けられている。また脚体２Ｂは図２４に示すように、Ｌ字状に湾曲させた金属性のパイプを主体としており、脚支柱２１Ｂと天板支持部２３Ｂとが一体に連続したものとなっている。
【００６３】
脚支柱２１Ｂは、下端部において床面に接するキャップＣを取り付けているとともに上端部において後述する天板支持部２３Ｂの湾曲箇所に連続している。
【００６４】
天板支持部２３Ｂは、脚支柱２１Ｂの上端部より連続する湾曲箇所と、当該湾曲箇所より連続する直線部分２３ａＢとを有しており、湾曲箇所付近及び直線部分２３ａＢの先端に、上記第一実施形態と同様の構成をなすＩ形金具２３１を溶接等によって取り付けている。そして、本実施形態においても湾曲箇所に上記第一実施形態に記したコーナーカバー４を取り付けているとともに（図２４）、当該Ｉ形金具２３１に上記第一実施形態に記した金具カバー５を取り付けている（図２３）。
【００６５】
次に、本実施形態に係るテーブルＴＢの天板１Ｂと他の同種のテーブルＴ'Ｂの天板１'Ｂとを連結する連結使用状態Ｊにおける底面図を図２５に示す。上述の図２３に示したようなテーブルＴＢを単独で使用する単独使用状態Ｓにおいては脚支柱２１Ｂを天板１Ｂの使用端１ｂＢにおける隅部に位置付けている一方で、当該図２５に示すように脚体２Ｂを天板１Ｂと隣接する他のテーブルＴ'Ｂの天板１'Ｂとに固定する連結使用状態Ｊでは、天板１Ｂと天板１'Ｂとの隣接する縁に沿って天板支持部２３Ｂを配置している。そして天板支持部に取り付けたＩ字金具２３１に設けた二つのボルト孔ｂが天板１Ｂ、１'Ｂに設けた鬼目ナットｎに図示しないボルトを用いて取り付けられることにより、天板１Ｂ及び１'Ｂが隣接した状態で固定されることにより天板１Ｂと天板１'Ｂとが連結される。このとき、天板支持部２３Ｂの先端部に設けたＩ形金具２３１が前記単独使用状態Ｓにおいて脚支柱２１Ｂが位置していた天板１Ｂの使用端１ｂＢ側の隅部に近接した位置に配置されているので、脚支柱２１Ｂの位置が反使用端１ａＢ側に変更されても天板１'の隅部に掛かる荷重は脚体２Ｂに確実に伝達されるようになっている。
【００６６】
そして、特に図２５に示すように、天板１Ｂの下面に設けられている鬼目ナットｎは上記各実施形態と同様、本発明に係る第一固定部Ｎ１Ｂ、第二固定部Ｎ２Ｂ及び第三固定部Ｎ３Ｂを構成しており、これら鬼目ナットｎの位置に従って脚体２Ｂを取り付けることにより、確実に脚体２Ｂを取り付けることができるようになっている。なお、図２５において同種の他のテーブルＴ'Ｂの天板１'Ｂに設けられた第三固定部Ｎ３'Ｂを示している。
【００６７】
勿論、当該図２５に示した態様以外にも上記第一実施形態と同様に様々な態様で連結することが可能である。
【００６８】
このような構成とすることにより、本実施形態では１本の脚支柱２１Ｂの取付位置及び向きを変更するのみで、詳細には天板ＴＢに対して取付位置を変更する脚支柱２１Ｂの数並びに脚体２Ｂの大きさを最小限に抑えながら連結使用状態Ｊとしているので、例えばテーブルＴＢを予め設置した状態から連結使用状態Ｊとする際に、一本の脚要素２１Ｂを取りはずしてもテーブルＴＢは三本の脚支柱２１Ｂによって天板１Ｂが支持された状態となり、一時的であれば当該状態を維持できるため、使用者は上記各実施形態に比べて省力的且つ安全にテーブルＴＢと隣接する他のテーブルＴ'Ｂとを連結することが可能となる。また、連結使用状態Ｊにおいて脚支柱２１Ｂは使用端１ｂ側に配置されているので、上記各実施形態と同様に脚支柱２１Ｂが使用端１ｂＢ側に着座する使用者にとって広い下肢空間を形成している。また、脚体２Ｂがそれぞれ同形状をなしているので、テーブルＴＢを構成する部品共有率を向上させることによる生産コストの低減を実現している。
【００６９】
また、脚体２ＢはＬ字形の金属パイプを主体として構成されているので、単純な構成によって脚体２Ｂを構成して生産コストを抑えることが可能となるのみならず、出荷や搬送の際の梱包状態をコンパクトにし易いという効果をも奏するものとなっている。
【００７０】
続いて、本発明の第四実施形態に係るテーブルＴＣを図２６〜図２９に示し、以下に詳述する。本実施形態において上記第一実施形態と全く同様の構成を有するのものについては同一の符号を付して詳細な説明を省略するとともに、本実施形態特有の構成を有するものについては上記実施形態において該当するものの符号の末尾に「Ｃ」を付して記載するものとする。
【００７１】
テーブルＴＣは、図２６に示すように矩形状の天板１Ｃの下面に脚体２Ｃを取り付けている点は上記各実施形態に係るテーブルＴ、ＴＡ及びＴＢと同様であるが、テーブルＴＣは、図２７に示すように、一本の脚支柱２１Ｃと該脚支柱２１Ｃと一体に連続した直線状の天板支持部２３Ｃとを有しているＬ字脚部材２ＬＣと、天板支持部２３Ｃの一部を構成し、後述する両端部２ＶａＣにおいて一対のＬ字脚部材をそれぞれ接続するＶ字連結部２ＶＣとを具備する一対の脚体２Ｃを有している。なお、図２６はテーブルＴＣを単独で使用する単独使用状態Ｓを示している。
【００７２】
以下、テーブルＴＣの各構成要素について図２６、図２７及び図２８を用いて詳述する。
【００７３】
天板１Ｃは、上記第一実施形態に於ける天板１と略同様の構成を有するが、天板１Ｃの下面に設けられた鬼目ナットｎの位置が脚体２Ｃの配置に対応し得るものとなっている。また、天板１Ｃの下面側には第一実施形態と同じ配線ダクト３を取り付けるとともに、該配線ダクト３に近い側の天板１Ｃの長辺を反使用端１ａＣに設定し、該反使用端１ａＣに対面する側の長辺を使用端１ｂＣに設定している。
【００７４】
脚体２Ｃは上述の通り、一本の脚支柱２１Ｃと該脚支柱２１Ｃと一体に連続した直線状の天板支持部２３Ｃとを有しているＬ字脚部材２ＬＣと、天板支持部２３Ｃの一部を構成し、その両端２０１ＬＣにおいて一対のＬ字脚部材２ＬＣをそれぞれ接続するＶ字連結部２ＶＣと、Ｌ字脚部材２ＬＣ及びＶ字連結部２ＶＣを接続する内嵌接続部材２３０Ｃとを有している。そして図２６に示す単独使用状態Ｓにおいて、同一構成を有する一対の脚体２Ｃが、天板１Ｂの各隅部に脚支柱２１Ｃが位置し且つ各脚体２Ｃが左右対称となるように位置付けられている。
【００７５】
Ｌ字脚部材は、図２７に示すように、上下逆のＬ字形に湾曲した一本の金属パイプによって主に構成されている。前記Ｌ字形の垂直部分の下端部において床面に接するキャップＣを取り付け、当該垂直部分を脚支柱２１Ｃとしているとともに、前記Ｌ字形の垂直部分から水平部分にかけて湾曲させ、当該水平部分を天板支持部２３Ｃの一部である天板支持部２３ａＣとしている。また、天板支持部２３ａＣは、脚支柱２１Ｃの上端部に近接した位置には上記第一実施形態と同様の構成をなすＩ形金具２３１を、当該天板支持部２３ａＣの先端付近には中央にボルト孔ｂＣを形成したプレートＰＣを溶接等によって取り付けている。そしてこのボルト孔ｂＣは当該Ｌ字脚部材２ＬＣをプレートＰＣを含めて上下方向に貫通して設けられている。また、同じく天板支持部２３ａＣの先端付近の下側には内嵌連結部材２３０Ｃを固定するための図示しないビス穴を一箇所形成している。
【００７６】
なお、本実施形態においても脚支柱２１Ｃと天板支持部２３ａＣとの間の湾曲箇所に上記第一実施形態に記したコーナーカバー４を取り付けているとともに（図２６）、当該Ｉ形金具２３１に上記第一実施形態に記した金具カバー５を取り付けている（図２７）。
【００７７】
Ｖ字連結部２ＶＣは、図２７に示すように、天板支持部２３Ｃの一部を構成するものであり、Ｖ字状に湾曲した一本の金属パイプを主体としている。そして、当該Ｖ字連結部２ＶＣの両方の端部２０１ＶＣ上側には後述する内嵌連結部材２３０Ｃに設けた突起２３１Ｃと係合し得る切欠２０２ＶＣをそれぞれ二箇所に、すなわち計４箇所に形成している、そして下側には内嵌連結部材２３０Ｃを固定するためのビス穴を二箇所形成している。
【００７８】
内嵌連結部材２３０Ｃは、図２７に示すように、断面視Ｕ字形の例えば金属製の板材を主体とするものであり、上側には上述した切欠２０２ＶＣと係合し得る突起２３１Ｃを２箇所に設けるとともに、下側には上述したボルト孔ｂＣに連通し得るボルト挿通孔２３２Ｃと、Ｌ字脚部材２ＬＣとＶ字連結部２ＶＣに設けたビス穴と連通し得るナット穴ｎＣをＬ字脚部材２ＬＣ側に１箇所、Ｖ字連結部側に２箇所の計３箇所に形成している。
【００７９】
そして、この内嵌連結部材２３０Ｃを用いてＬ字脚部材２ＬＣとＶ字連結部２ＶＣとを連結する際には、まず内嵌連結部材２３０Ｃの一方を突起２３１Ｃが切欠２０２Ｖに係合するまでＶ字連結部に挿入する。この状態においてＶ字連結部２ＶＣと内嵌連結部材２３０Ｃとが位置決めされる。次に内嵌連結部材２３０Ｃの他方をＬ字脚部材２ＬＣの先端部分へＶ字連結部２ＶＣと当接するまで挿入する。この状態でＬ字脚部材２ＬＣとＶ字連結部２ＶＣとに形成されたビス穴に図示しないビスを挿入し当該ビスをナット穴ｎＣに固定することにより、Ｌ字脚部材２ＬＣと内嵌連結部材２３０Ｃ、Ｖ字連結部２ＶＣと内嵌連結部材２３０Ｃとをそれぞれ固定することによりＬ字脚部材２ＬＣとＶ字連結部２ＶＣとを固定する。そして、Ｖ字連結部２ＶＣの両端に一対のＬ字脚部材２ＬＣをそれぞれ上述のように連結することにより天板支持部２３Ｃと一対の脚支柱２１Ｃとを有する脚体２Ｃを完成させる。そして当該脚体２Ｃを天板１Ｃに取り付ける際にはＩ字形金具に設けられたボルト孔ｂと、Ｌ字脚部材に設けられたボルト孔ｂＣとにそれぞれ下方より図示しないボルトを挿入し、天板１Ｃに設けられた鬼目ナットＮに固定する。
【００８０】
そして、特に図２８に示すように、天板１Ｃの下面に設けられている鬼目ナットｎは上記各実施形態と同様、本発明に係る第一固定部Ｎ１Ｃ、第二固定部Ｎ２Ｃ及び第三固定部Ｎ３Ｃを構成しており、これら鬼目ナットｎの位置に従って脚体２Ｃを取り付けることにより、確実に脚体２Ｃを取り付けることができるようになっている。なお、図２８において同種の他のテーブルＴ'Ｃの天板１'Ｃに設けられた第三固定部Ｎ３'Ｃを示している。勿論、このような態様以外にも上記第一実施形態と同様に様々な態様で連結することが可能である。
【００８１】
このような構成とすることにより、脚体２Ｃが、一本の前記脚支柱２１Ｃと該脚支柱２１Ｃと一体に連続した天板支持部２３Ｃを構成する直線状の前記天板支持部２３ａＣとを有しているＬ字脚部材２ＬＣと、Ｌ字脚部材２ＬＣとともに天板支持部２３Ｃを構成しＬ字脚部材２ＬＣをそれぞれ接続するＶ字連結部２ＶＣとを具備しているので、Ｌ字脚部材２ＬＣが天板１Ｃに掛かる荷重を好適に支持しつつＶ字連結部２ＶＣが一対のＬ字脚部材２ＬＣを確実に連結して剛性の高い天板支持部２３Ｃを構成しているため、天板１Ｃの撓みに対して強度の高い脚体２Ｃを構成することを実現している。
【００８２】
このように、本実施形態に係る脚体２Ｃは天板１Ｃの撓みに対して特に剛性の高い天板支持部２３Ｃを構成しているが、例えば、長手方向に寸法の大きな天板１”Ｃを用いた場合、一対の配線ダクト３Ｃを天板の中央付近に取り付けることにより天板１”Ｃの撓み剛性を向上させることが可能である。すなわち、本実施形態に変形例として図２９に示すように、配線ダクト３Ｃの両端がそれぞれＶ字連結部２ＶＣ付近に位置するように配置することにより、天板１”Ｃの長手方向には天板支持部２３Ｃ或いは一対の配線ダクト３Ｃの何れかが取り付けられていることにより、天板１”Ｃの撓み剛性をさらに補強することが可能である。
【００８３】
本発明は、以上に記した各実施形態に限定されるものではない。例えば、上記各実施形態において、天板に設ける鬼目ナットの配置は、連結使用状態におけるテーブルの天板の配置を平面視Ｌ字形に構成するように設定していたが、鬼目ナットの配置を適宜工夫することにより例えばＴ字形や、それ以外の形状のテーブルレイアウトを構成することも可能である。また、天板に脚体を固定する方法はボルトとナットとによる固定に限られず、所望の位置に適宜接着するものや、所定の動作範囲において脚体が回転、スライドするものであってもよい。さらに、Ｘ形金具やＩ形金具や位置天板の下面側に形成する鬼目ナットの数や配置、それらに伴う第一固定部、第二固定部及び第三固定部の具体的な配置についても上記実施形態に限定されるものではない。
【００８４】
その他、各部の具体的構成についても上記実施形態に限られるものではなく、本発明の趣旨を逸脱しない範囲で種々変形が可能である。
【図面の簡単な説明】
【００８５】
【図１】本発明の第一実施形態に係るテーブルの単独使用状態における斜視図。
【図２】同テーブルの単独使用状態における底面図。
【図３】同テーブルの単独使用状態における正面図。
【図４】同テーブルを構成する脚体を示す図。
【図５】同テーブルを構成する配線ダクトを示す斜視図。
【図６】同テーブルを構成するコーナーカバーを示す斜視図。
【図７】同テーブルを構成する金具カバーを示す斜視図。
【図８】同テーブルを構成する天板における鬼目ナットの配置を示す平面図。
【図９】本実施形態に係るテーブルの連結使用状態における全体斜視図。
【図１０】同テーブルの連結使用状態における底面図。
【図１１】同上。
【図１２】同上。
【図１３】同上。
【図１４】本実施形態に係るテーブルの単独使用状態における斜視図。
【図１５】同テーブルの単独使用状態における底面図。
【図１６】同テーブルの連結使用状態における底面図。
【図１７】本実施形態に係るテーブルの連結使用状態における斜視図。
【図１８】本発明の第二実施形態に係るテーブルの単独使用状態における斜視図。
【図１９】同実施形態に係るテーブルの底面図。
【図２０】同実施形態に係るブラケットの斜視図。
【図２１】同実施形態に係るブラケットの模式的な断面図。
【図２２】同実施形態に係るテーブルの連結使用状態における底面図。
【図２３】本発明の第三実施形態に係るテーブルの単独使用状態における底面図。
【図２４】同実施形態に係る脚体を示す斜視図。
【図２５】同実施形態に係るテーブルの連結使用状態における底面図。
【図２６】本発明の第三実施形態に係るテーブルの単独使用状態における底面図。
【図２７】同実施形態に係る脚体を示す斜視図。
【図２８】同実施形態に係るテーブルの連結使用状態における底面図。
【図２９】同実施形態の変形例に係るテーブルの底面図。
【符号の説明】
【００８６】
１、１Ａ、１Ｂ、１Ｃ…天板
１'、１”他のテーブルの天板（天板）
１ａ、１ａＡ、１ａＢ、１ａＣ…反使用端
１ｂ、１ｂＡ、１ｂＢ、１ｂＣ…使用端
２、２Ａ、２Ｂ、２Ｃ…脚体
２１、２１Ａ…一方の脚支柱（脚支柱）
２１Ｂ、２１Ｃ…脚支柱
２２、２２Ａ…他方の脚支柱（脚支柱）
２３、２３Ａ、２３Ｂ、２３Ｃ…天板支持部
２４Ａ…ブラケット
Ｎ１、Ｎ１Ａ、Ｎ１Ｂ、Ｎ１Ｃ…第一固定部
Ｎ２、Ｎ２Ａ、Ｎ２Ｂ、Ｎ２Ｃ…第二固定部
Ｎ３、Ｎ３Ａ、Ｎ３Ｂ、Ｎ３Ｃ…第三固定部
Ｊ…連結使用状態
Ｓ…単独使用状態
Ｔ、ＴＡ、ＴＢ、ＴＣ…テーブル
Ｔ'、Ｔ”、Ｔ'Ａ、Ｔ'Ｂ、Ｔ'Ｃ…他のテーブル（テーブル）
【図１】
2006101939.tif 000003
【図２】
2006101939.tif 000004
【図３】
2006101939.tif 000005
【図４】
2006101939.tif 000006
【図５】
2006101939.tif 000007
【図６】
2006101939.tif 000008
【図７】
2006101939.tif 000009
【図８】
2006101939.tif 000010
【図９】
2006101939.tif 000011
【図１０】
2006101939.tif 000012
【図１１】
2006101939.tif 000013
【図１２】
2006101939.tif 000014
【図１３】
2006101939.tif 000015
【図１４】
2006101939.tif 000016
【図１５】
2006101939.tif 000017
【図１６】
2006101939.tif 000018
【図１７】
2006101939.tif 000019
【図１８】
2006101939.tif 000020
【図１９】
2006101939.tif 000021
【図２０】
2006101939.tif 000022
【図２１】
2006101939.tif 000023
【図２２】
2006101939.tif 000024
【図２３】
2006101939.tif 000025
【図２４】
2006101939.tif 000026
【図２５】
2006101939.tif 000027
【図２６】
2006101939.tif 000028
【図２７】
2006101939.tif 000029
【図２８】
2006101939.tif 000030
【図２９】
2006101939.tif 000031